(57)【要約】【課題】広い表示面を有する電子機器の表示面に貼付される保護フィルムの位置決め作業をより簡易にかつ精度良く行う。【解決手段】保護フィルムの少なくともいずれかの面にカバーフィルムを設け、このカバーフィルムに第１の位置決め用マークを表示し、一方、第１の位置決め用マークの略全体に対応する第２の位置決め用マークと、第１の位置決め用マークの端部に対応する第３の位置決め用マークとを電子機器の表示面に描画して表示し、これら第１、第２及び第３の位置決め用マークを用いて保護フィルムの表示面上の位置決めを行った状態で、この保護フィルムを表示面上に貼付する。【選択図】図３
2016001273.tif 000002
【特許請求の範囲】
【請求項１】
表示部により表示面に画像が表示される電子機器の前記表示面に貼付される保護フィルムの貼付方法において、
前記保護フィルムの少なくともいずれかの面にカバーフィルムを設け、このカバーフィルムに第１の位置決め用マークを表示し、
前記第１の位置決め用マークの略全体に対応する第２の位置決め用マークと、前記第１の位置決め用マークの端部に対応する第３の位置決め用マークとを前記電子機器の表示面に表示し、
これら第１、第２及び第３の位置決め用マークを用いて前記保護フィルムの表示面上の位置決めを行った状態で、この保護フィルムを表示面上に貼付する
ことを特徴とする保護フィルムの貼付方法。
【請求項２】
表示部により表示面に画像が表示される電子機器の前記表示面に貼付される保護フィルムの位置決めシステムであって、
前記保護フィルムの少なくともいずれかの面に設けられたカバーフィルムには第１の位置決め用マークが表示され、
前記電子機器の表示面には、前記第１の位置決め用マークの略全体に対応する第２の位置決め用マークと、前記第１の位置決め用マークの端部に対応する第３の位置決め用マークとが表示されている
ことを特徴とする保護フィルムの位置決めシステム。
【請求項３】
前記第３の位置決め用マークは、前記電子機器が受け入れた操作入力に基づいて前記表示面上において移動可能であることを特徴とする請求項２記載の保護フィルムの位置決めシステム。
【請求項４】
前記第３の位置決め用マークは、前記カバーフィルムが設けられた状態の前記保護フィルムが前記電子機器の表示面に配置された状態で、前記電子機器が受け入れた操作入力に基づいて前記表示面上において移動可能であることを特徴とする請求項３記載の保護フィルムの位置決めシステム。
【請求項５】
前記表示面は略矩形に形成され、
前記第２の位置決め用マークは第１の線分を備え、この第１の線分は、前記表示面の長辺または短辺の長さの略中央に描画され、
前記第３の位置決め用マークは、前記第２の位置決め用マークの第１の線分に略直交する方向に延びる第２の線分を備える
ことを特徴とする請求項２〜４のいずれかに記載の保護フィルムの位置決めシステム。
【請求項６】
前記第２の位置決め用マークは複数の前記第１の線分を備え、これら第１の線分は、前記表示面の長辺または短辺のいずれかに沿って描画されることで、これら第１の線分が交差して形成され、
前記第３の位置決め用マークの前記第２の線分は、前記表示面の長辺に沿って描画された第１の線分に略直交する方向に延びる
ことを特徴とする請求項５記載の保護フィルムの位置決めシステム。
【請求項７】
前記第１の位置決め用マークは半透明であることを特徴とする請求項２〜６のいずれかに記載の保護フィルムの位置決めシステム。
【請求項８】
前記第２の位置決め用マークは複数の第１の線分を備え、
前記第１の位置決め用マークは、この第１の線分にその頂点が重なるように形成された複数の突部を備え、
前記第３の位置決め用マークの前記第２の線分は、この突部の頂点に重なるように表示される
ことを特徴とする請求項５記載の保護フィルムの位置決めシステム。
【発明の詳細な説明】
【技術分野】
【０００１】
本発明は、電子機器の画像が表示される表示面に貼付される保護フィルムの貼付方法及び保護フィルムの位置決めシステムに関する。
【背景技術】
【０００２】
スマートフォン、タブレット端末に代表される電子機器において、画像が表示される表示面はガラス等の透明でかつ一定の強度及び硬度を有する材質で保護されている。しかしながら、この表示面に生じる引っかき傷から表示面を保護し、さらには表示面での反射を一定の割合で抑制する等の目的で、この表示面に貼付する保護フィルムと呼ばれるフィルムが提供されている（例えば非特許文献１参照）。
【０００３】
電子機器及びその表示面は機種、型式毎に所定形状を有し、また、電子機器によっては表示面と同一面に操作ボタン、マイクやスピーカ用の切欠が設けられ、これら操作ボタン等の配置位置も機種、型式毎に異なることがあるので、上述した保護フィルムは電子機器の機種、型式に応じて所定形状に形成されていることが多い。また、保護フィルムは電子機器販売時には貼付されない状態で提供されることが多い。従って、電子機器のユーザは、電子機器使用時、あるいは保護フィルムの貼り替え時に、電子機器及びその表示面の形状に合わせて保護フィルムを位置決めした後、この保護フィルムを表示面に貼付する作業を行う。これら保護フィルム位置決めから貼付に至る作業は、電子機器及び保護フィルムの形状が個々に異なることもあり、電子機器のユーザが個別に手作業で行っていた。
【０００４】
しかしながら、電子機器及びその表示面の形状に合わせて精度良く保護フィルムを位置決めして貼付する作業には手間及び時間がかかるという問題があった。そこで、保護フィルムと電子機器の表示面とに対応するガイドマークをそれぞれ表示し、これらガイドマークが一致するように保護シートを位置決めする技術が提案されている（特許文献１参照）。
【０００５】
なお、本明細書において、「フィルム」と「シート」とは同義に用いる。
【先行技術文献】
【特許文献】
【０００６】
【特許文献１】特開２０１３−１６１３０８号公報
【非特許文献】
【０００７】
【非特許文献１】「光沢?反射防止？フィルムの基本 - スマホの学校」［平成26年6月12日検索］、インターネット<URL: http://buffalo.jp/products/pickup/supply/smapho_school/article3.html>
【発明の概要】
【発明が解決しようとする課題】
【０００８】
しかしながら、上述した従来の位置決め技術においては、電子機器がタブレット端末のように大きく広い表示面を有する場合、位置決めの精確さを追求するためには、表示面側のガイドマークもフィルム側のガイドマークもともに表示面に合わせた大きさにする必要がある。この場合、ユーザがガイドマークの中央を凝視していると、表示面の端部に近いガイドマークの位置合わせのためにユーザが視線を動かした際、ユーザの位置と視線を合わせる位置との間にかなりの距離が生じる。通常、表示部の液晶パネルの表面にはガラス等の透明板が設けられているため、液晶パネルの表示面と保護フィルムが貼付される電子機器の表示面との間には一定の距離がある。このため、ユーザが視線を合わせる位置が遠いと、液晶パネルの表示と実際の位置との間のずれが大きくなる可能性がある。
【０００９】
本発明は上述した課題に鑑みてなされたものであり、広い表示面を有する電子機器の表示面に貼付される保護フィルムの位置決め作業をより簡易にかつ精度良く行うことの可能な保護フィルムの貼付方法、保護フィルムの位置決めシステムを提供することにある。
【課題を解決するための手段】
【００１０】
本発明は、表示部により表示面に画像が表示される電子機器の表示面に貼付される保護フィルムの貼付方法に適用される。そして、保護フィルムの少なくともいずれかの面にカバーフィルムを設け、このカバーフィルムに第１の位置決め用マークを表示し、第１の位置決め用マークの略全体に対応する第２の位置決め用マークと、第１の位置決め用マークの端部に対応する第３の位置決め用マークとを電子機器の表示面に表示し、これら第１、第２及び第３の位置決め用マークを用いて保護フィルムの表示面上の位置決めを行った状態で、この保護フィルムを表示面上に貼付することにより、上述の課題の少なくとも一つを解決している。
【００１１】
第１の位置決め用マークの略全体に対応する第２の位置決め用マークと第１の位置決め用マークの端部に対応する第３の位置決め用マークとを描画して形成し、これら第１、第２及び第３の位置決め用マークとを用いて保護フィルムの位置決めを行っているので、第１の位置決め用マークの端部における位置決めは第３の位置決め用マークを使うことができる。
【００１２】
また、本発明は、表示部により表示面に画像が表示される電子機器の表示面に貼付される保護フィルムの位置決めシステムに適用される。そして、保護フィルムの少なくともいずれかの面に設けられたカバーフィルムに第１の位置決め用マークを表示し、電子機器の表示面に、第１の位置決め用マークの略全体に対応する第２の位置決め用マークと、第１の位置決め用マークの端部に対応する第３の位置決め用マークとを表示することにより、上述の課題の少なくとも一つを解決している。
【００１３】
ここで、第３の位置決め用マークは、電子機器が受け入れた操作入力に基づいて表示面上において移動可能であることが好ましい。特に、第３の位置決め用マークは、カバーフィルムが設けられた状態の保護フィルムが電子機器の表示面に配置された状態で、電子機器が受け入れた操作入力に基づいて表示面上において移動可能であることが好ましい。
【００１４】
また、電子機器の表示面が略矩形に形成されている場合、第２の位置決め用マークに第１の線分を設け、この第１の線分が、表示面の長辺または短辺の長さの略中央に描画され、さらに、第３の位置決め用マークに、第２の位置決め用マークの第１の線分に略直交する方向に延びる第２の線分を設けることが好ましい。
【００１５】
さらに、第２の位置決め用マークに複数の第１の線分を設けた場合、これら第１の線分を、表示面の長辺または短辺のいずれかに沿って描画することで、これら第１の線分を交差して形成し、さらに、第３の位置決め用マークの第２の線分を、表示面の長辺に沿って描画された第１の線分に略直交する方向に延ばすことが好ましい。
【００１６】
また、第１の位置決め用マークは半透明であることが好ましい。
【００１７】
そして、第２の位置決め用マークに複数の第１の線分を設け、第１の位置決め用マークに、この第１の線分にその頂点が重なるように形成された複数の突部を設け、第３の位置決め用マークの第２の線分を、この突部の頂点に重なるように表示することが好ましい。
【発明の効果】
【００１８】
本発明によれば、第１の位置決め用マークの略全体に対応する第２の位置決め用マークと、第１の位置決め用マークの端部に対応する第３の位置決め用マークとを電子機器の表示面に描画して表示し、これら第１、第２及び第３の位置決め用マークを用いて保護フィルムの表示面上の位置決めを行っているので、第１の位置決め用マークの端部における位置決めは第３の位置決め用マークを使うことができる。これにより、広い表示面を有する電子機器の表示面に貼付される保護フィルムの位置決め作業をより簡易にかつ精度良く行うことの可能な保護フィルムの貼付方法、保護フィルムの位置決めシステムを実現することができる。
【図面の簡単な説明】
【００１９】
【図１】本発明の一実施形態である保護フィルムの貼付方法を説明するための斜視図である。
【図２】一実施形態の保護フィルムの貼付方法に適用される保護フィルム複合体を示す側面図である。
【図３】一実施形態の保護フィルムの貼付方法の一例を説明するための平面図である。
【図４】一実施形態の保護フィルムの貼付方法の他の例を説明するための平面図である。
【図５】一実施形態の保護フィルムの貼付方法のまた他の例を説明するための側面図である。
【図６】一実施形態の保護フィルムの貼付方法が適用される保護フィルム複合体の製造方法の一例を説明するための図である。
【図７】一実施形態の保護フィルムの貼付方法が適用される位置決めシステムの一例の概略構成を示すブロック図である。
【図８】一実施形態の保護フィルムが貼付される電子機器の一例の概略構成を示すブロック図である。
【図９】一実施形態の保護フィルムの貼付方法における線分の描画手順の一例を示すフローチャートである。
【発明を実施するための形態】
【００２０】
以下、図面を参照して、本発明の保護フィルムの貼付方法の実施形態について説明する。なお、図面内に記載されている保護フィルム、接着層等の厚みは、説明の便宜上誇張して記載されており、実際の寸法を反映した縮尺ではない。また、図面内において単層で表示されているフィルム等は、実際には複数のフィルム等が重畳されて構成されることがある。すなわち、図面内の表示は機能的なものである。
【００２１】
（一実施形態）
図１は、本発明の一実施形態である保護フィルムの貼付方法を説明するための斜視図である。図１において、１は保護フィルムが貼付される電子機器である。この電子機器１は、スマートフォン、タブレット端末に代表されるものであり、外形視板状の本体１ａの一面（図１において上面）に、表示画面が表示される表示部（図１において図示略）を備える。この表示部は、電子機器１から露出する略矩形状の表示面１ｂを備える。この表示面１ｂはガラス、硬質プラスチック等からなる透明の材質で構成されている。また、電子機器１は、この表示面１ｂをユーザが手指等でタッチした場合に、この表示面１ｂ上のタッチ位置を検出するタッチパネル（図１において図示略）を備えている。
【００２２】
電子機器１の表示面１ｂには、この表示面１ｂを保護するための保護フィルム２が貼付される。この保護フィルム２には、図２に詳細を示すように、表示面１ｂに貼付される側（図１及び図２において下側）に、表示面１ｂに保護フィルム２を貼付するための第１の接着層６が設けられるとともに、この第１の接着層６を保護するための剥離フィルム３が設けられている。なお、以下の実施形態において、表示面１ｂが設けられている側を電子機器１の上側として説明し、保護フィルム２等における上下は、表示面１ｂに近い側を下側として統一して説明を行う。
【００２３】
また、保護フィルム２の表示面１ｂに貼付される側と反対側（図１及び図２において上側）に、保護フィルム２のユーザがタッチする面であるこの反対側の面を保護するためのカバーフィルム４が設けられる。カバーフィルム４には、このカバーフィルム４を保護フィルム２に固定するための第２の接着層７が設けられている。
【００２４】
そして、カバーフィルム４には、保護フィルム２に固定される側と反対側（図１及び図２において上側）に、保護フィルム２を電子機器１の表示面１ｂに貼付する際の位置決めに用いられるマーク用フィルム５が設けられている。このマーク用フィルム５には、このマーク用フィルム５をカバーフィルム４に固定するための第３の接着層８が設けられている。
【００２５】
保護フィルム２、剥離フィルム３及びカバーフィルム４は、図１に示すように、電子機器１の表示面１ｂに対応した外形が略矩形状に形成されている。より詳細には、保護フィルム２、剥離フィルム３及びカバーフィルム４は、表示面１ｂの外縁と等しいかやや小さい形状に形成され、あるいは、電子機器１の表示面１ｂ側の面（図１において上面）が表示面１ｂと一体化された平坦面に形成されている場合は、この面の外縁と等しいかやや小さい形状に形成されている。なお、図１では、電子機器１に設けられることがある操作ボタンやマイク、スピーカ用の切欠の図示を省略しているが、これら操作ボタン等が電子機器１に設けられる場合、保護フィルム２、剥離フィルム３及びカバーフィルム４にもこれら操作ボタン等に対応する位置に切欠が設けられることがある。
【００２６】
一方、マーク用フィルム５は、図１に示すように、一定の線幅を有する線分が中央で交差した、いわゆる十字形に形成され、その端部が、先端が尖った三角形状の突部５ａ（図３参照）に形成されている。マーク用フィルム５は、後述する保護フィルム２の表示面１ｂへの貼付作業時に、この保護フィルム２の位置決めに用いられる第１の位置決め用マークとして作用する。このマーク用フィルム５は半透明の材質から構成されている。マーク用フィルム５の形状及びカバーフィルム４上の固定位置の詳細については後述する。
【００２７】
保護フィルム２、剥離フィルム３、カバーフィルム４及びマーク用フィルム５、さらには第１〜第３の接着層６〜８は、既存の保護フィルム等として用いられている周知のフィルム、接着層が好適に適用可能である。一例として、保護フィルム２は厚み１２５μｍのＰＥＴ（ポリエチレンテレフタレート）からなり、剥離フィルム３は厚さ５０〜７５μｍのＰＥＴからなり、カバーフィルム４も厚さ５０〜７５μｍのＰＥＴからなり、さらに、マーク用フィルム５は厚さ６５〜７５μｍのポリエチレンからなる。
【００２８】
ここで、保護フィルム２には、表示面１ｂに貼付された状態で、指紋付着防止、ユーザの指のすべりを良くする、表示面１ｂに表示された画像の見栄えを良くする等の目的で、加工が適宜施されてもよい。
【００２９】
剥離フィルム３は、後述するように、保護フィルム２を電子機器１の表示面１ｂに貼付する際にこの保護フィルム２から剥がされるので、この剥離フィルム３には、保護フィルム２から剥がされる際に保護フィルム２が帯電することを防止するための加工が施されてもよい。同様に、保護フィルム２から剥離フィルム３を剥がす際の剥離性を高めるための加工が剥離フィルム３に施されてもよい。
【００３０】
また、第１の接着層６は厚さ５０μｍとされ、第２の接着層７は７μｍ、第３の接着層８も７μｍとされる。第１の接着層６は、保護フィルム２が表示面１ｂに貼付された後に、気泡や埃を除去する等の目的で少なくとも保護フィルム２の一部が剥がされ、さらに再度保護フィルム２が表示面１ｂに貼付されることを考慮して、再剥離性・粘着性が良好となる材質が選定され、あるいは所定の加工が施されてもよい。また、後述のように、マーク用フィルム５は保護フィルム２の位置決め用に用いられるのみであり、最終的にはカバーフィルム４とともに保護フィルム２から剥がされてしまうので、ポリエチレンの粘着性を利用して、第３の接着層８を省略してもよい。
【００３１】
そして、これら保護フィルム２、剥離フィルム３、カバーフィルム４及びマーク用フィルム５は、ユーザに提供される際に、図２に示すように第１〜第３の接着層６〜８により互いに固定された状態で提供される。以下、図２に示すように互いに固定された状態の保護フィルム２、剥離フィルム３、カバーフィルム４及びマーク用フィルム５、さらには第１〜第３の接着層６〜８を、保護フィルム複合体Ａと称する。
【００３２】
このような保護フィルム複合体Ａの製造方法の概略を、図６を参照して説明する。
【００３３】
保護フィルム２、剥離フィルム３、カバーフィルム４及びマーク用フィルム５を構成するフィルムＦ１〜Ｆ４の所定面に接着剤が塗布されることで第１〜第３の接着層６〜８が形成され、次いで、保護フィルム２と剥離フィルム３とを構成するフィルムＦ１、Ｆ２が第１の接着層６により一体化された状態で巻回されたロール体、及び、カバーフィルム４を構成するフィルムＦ３に第２の接着層７が形成された状態で巻回されたロール体とマーク用フィルム５を構成するフィルムＦ４に第３の接着層８が形成された状態で巻回されたロール体とがカッターに供給される。
【００３４】
これらロール体から供給されるフィルムＦ１〜Ｆ４は、カッターの直前またはカッター内において保護フィルム複合体Ａを形成する順に重ね合わされた後、カッター等により所望の形状に打ち抜かれて保護フィルム複合体Ａが製造される。
【００３５】
この際、マーク用フィルム５となるフィルムＦ４は、このフィルムＦ４を打ち抜くが、その下に位置するカバーフィルム４となるフィルムＦ３は打ち抜かない、好ましくはカッターの刃先がフィルムＦ３の表面に接触する程度の長さに調整されたカッターにより打ち抜かれ、所定形状に打ち抜かれる。このような切断技術は、いわゆるハーフカット技術として公知であるので、ここではこれ以上の詳細な説明を省略する。このハーフカット技術を実現するために、上述したようにカッターの刃先長さの調整が行われるとともに、カバーフィルム４の厚さが、カッターの刃によりマーク用フィルム５が打ち抜かれてもこの刃がカバーフィルム４まで打ち抜かないように、保護フィルム２を保護するための目的のフィルムよりも厚みがあるフィルムがカバーフィルム４として選定されている。
【００３６】
これにより、マーク用フィルム５と保護フィルム２、剥離フィルム３及びカバーフィルム４との間の位置決めを正確に保ちつつ、製造工程の簡略化を図れる保護フィルム複合体Ａの製造方法を実現することができる。すなわち、例えばマーク用フィルム５を別工程で打ち抜き、これを、保護フィルム２、剥離フィルム３及びカバーフィルム４が一体化したものに位置決めして貼付することで本実施形態の保護フィルム複合体Ａを製造する場合、マーク用フィルム５の位置決めに時間がかかるとともに、位置決めの精度を高めるための手間が必要となる。本実施形態の製造方法によれば、マーク用フィルム５の位置決め精度を高めつつ、製造工程の簡略化、ひいては高速化を図ることができる。
【００３７】
ここで、本実施形態では、マーク用フィルム５の端部が、先端が尖った三角形状の突部５ａ （図３参照）に形成されているので、上述したハーフカット工程の後にカットされたマーク用フィルム５以外のフィルムＦ４を保護フィルム複合体Ａから剥がす際に、鋭角部分からフィルムＦ４を剥がすことになるので、保護フィルム複合体Ａに残すべきマーク用フィルム５が誤ってカバーフィルム４から剥がされてしまう事態を防止することができる。
【００３８】
このような保護フィルム複合体Ａを用いて保護フィルム２を電子機器１の表示面１ｂに貼付するには、まず、図３（ａ）に示すように、電子機器１の表示面１ｂに、マーク用フィルム５の形状に対応する第２の位置決め用マーク１０と第３の位置決め用マーク１１とを表示させる。
【００３９】
第２の位置決め用マーク１０は、第１の位置決め用マークであるマーク用フィルム５の略全体に対応するものであり、図３（ａ）に示すように、電子機器１の表示面１ｂの長辺方向にそれぞれ延びる線分１０ａと、電子機器１の表示面１ｂの短辺方向に延びる線分１０ｂとが交差してなる、いわゆる十字状に形成されている。より詳細には、第２の位置決め用マーク１０を構成する第１の線分である線分１０ａ、１０ｂは、電子機器１の表示面１ｂの画面サイズを取得し、この取得した画面サイズに応じて、電子機器１の表示面１ｂに描画して形成されている。好ましくは、電子機器１の表示面１ｂが図１等に示すように矩形状である場合、この表示面１ｂの長辺及び短辺の長さを取得し、表示面１ｂのこれら長辺及び短辺の略中央、より好ましくは中央に線分１０ａ、１０ｂが描画されることで第２の位置決め用マーク１０が形成されている。
【００４０】
電子機器１の表示面１ｂの画面サイズを取得する手法は周知のものから適宜選択されればよいが、一例として、表示面１ｂの解像度（表示面１ｂの長辺×短辺の画素数）及びｄｐｉ（dot per inch）等で表される画素密度を取得し、これら解像度及び画素密度から表示面１ｂの長辺及び短辺の長さを算出する手法が挙げられる。これら解像度及び画素密度は、電子機器１のＯＳ（Operating System）がＡｎｄｒｏｉｄ（登録商標）である場合、DisplayMetricsオブジェクトのフィールドとして取得可能である。また、電子機器１のＯＳがｉＯＳである場合、ｐｐｉ（point per inch）とデバイス・ピクセル比（dpi:device pixel ratio）により電子機器１の表示面１ｂの画面サイズを取得することができる。
【００４１】
あるいは、電子機器１のＯＳがｉＯＳである場合、標準となる表示面１ｂの画面サイズがポイントにより定義されているので、表示面１ｂのこれら長辺及び短辺の略中央、より好ましくは中央に対応するポイントの位置に線分１０ａが描画されて形成される。また、電子機器１のＯＳ（Operating System）がＡｎｄｒｏｉｄ（登録商標）である場合、画素密度に依存しないピクセル（DIP:Density-independent Pixels）値を用いて、表示面１ｂのこれら長辺及び短辺の略中央、より好ましくは中央に対応するポイントの位置に線分１０ａが描画されて形成されうる。
【００４２】
第２の位置決め用マーク１０及びこれを構成する線分１０ａ、１０ｂは、保護フィルム２の表示面１ｂへの位置決め精度を高める観点、及び、ユーザの視認度を高める観点から、最小で０．１ｍｍ程度、最大で数ｍｍ程度の太さに形成されることが好ましい。この第２の位置決め用マーク１０及びこれを構成する線分１０ａ、１０ｂは、電子機器１の表示面１ｂ上でのピクセル（画素）数に換算すると、１ドット以上の奇数個のピクセルであればよい。奇数個のピクセルであると、中央のピクセルを表示面１ｂの中央に位置させることができ、位置決め精度の向上にさらに寄与することができる。
【００４３】
また、第３の位置決め用マーク１１は、第１の位置決め用マークであるマーク用フィルム５の端部に対応するものであり、第２の位置決め用マーク１０の、表示面１ｂの長辺方向に延びる線分１０ａの途中に、この線分１０ａに交差するように描画された、第２の線分である一対の補助線１１ａを備える。これら一対の補助線１１ａは、表示面１ｂの短辺方向に延びる線分１０ｂを中心に線対称な位置に形成され、表示面１ｂに表示されたスライダ３０をユーザがタッチすることでスライドすると、表示面１ｂの短辺方向に延びる線分１０ｂに向かって漸近移動する。
【００４４】
このような電子機器１の表示面１ｂの画面サイズ取得動作及び第２の位置決め用マーク１０、第３の位置決め用マーク１１の描画動作は、好ましくは、電子機器１が備える記憶部に格納されたアプリケーションソフト１２等により行われる。このようなアプリケーションソフト１２等は、一例として、図７に示すように、インターネット１３上に設置された外部サーバ１４内に格納され、電子機器１の表示面１ｂに保護フィルム２を貼付するに先立って、電子機器１がこの外部サーバ１４にアクセスし、電子機器１が移動体通信機能を有する場合は移動体通信網１５を経由して、また、電子機器１が無線ＬＡＮ（Local Area Network）機能を有する場合はルータ１６及びアクセスポイント（ＡＰ）１７を経由して、電子機器１の図略の記憶部に予め格納される。
【００４５】
電子機器１が外部サーバ１４にアクセスする手法も周知手法が適宜採用可能であるが、一例として、外部サーバ１４における位置決め用画像データの格納場所にアクセスするための情報であるＵＲＬ（Uniform Resource Locator）を示す文字列を、保護フィルム複合体Ａを格納するパッケージに表示し、あるいは、保護フィルム２の貼付方法を説明するための取扱説明書に表示し、ユーザがＷｅｂブラウザ等を起動してこの文字列を入力することでアクセスする手法が挙げられる。
【００４６】
あるいは、上述したパッケージや取扱説明書に、ＵＲＬを示す文字列の情報が格納されたＱＲコード（登録商標）等のバーコードを表示し、このバーコードを電子機器１のカメラで撮像してアプリケーションソフト等が読み取ることでアクセスする手法も挙げられる。このＱＲコード等のバーコードはマーク用フィルム５に一体化してもよい。バーコードをマーク用フィルム５に一体化すると、上述した製造工程においてマーク用フィルム５とバーコードを同時に形成することができて、これらマーク用フィルム５とバーコードとの対応を確実に行うことができ、また、製造ラインにおいてこのバーコードを読み取ってマーク用フィルム５との対応を容易に確認することができ、また、保護フィルム複合体Ａのパッケージを簡略化することができ、さらに、ユーザも簡易に情報入手をすることができる。
【００４７】
さらには、上述した情報が格納されたＮＦＣ（Near Field Communication）タグ等のＩＣタグを保護フィルム複合体Ａに同梱し、このＩＣタグを電子機器１のアプリケーションソフト等が読み取ることでアクセスしてもよい。
【００４８】
また、アプリケーションソフト１２等を電子機器１の記憶部内に格納する手法は、上述した、アプリケーションソフト１２等が格納された外部サーバ１４から取得する手法に限定されず、他の周知手法が好適に適用可能である。一例として、アプリケーションソフト１２等が格納されたメモリーカード、ＨＤＤ（Hard Disk Drive）等の外部記憶装置を電子機器１に接続し、この外部記憶装置からアプリケーションソフト１２等を取得してもよい。
【００４９】
そして、保護フィルム２の貼付作業の際に、図３（ａ）に示すように、電子機器１の表示面１ｂに第２の位置決め用マーク１０及び第３の位置決め用マーク１１を表示させる。第２の位置決め用マーク１０及び第３の位置決め用マーク１１の表示方法は周知手法が適宜採用可能であるが、好ましくは、保護フィルム２を貼付する際にユーザが電子機器１の表示面１ｂを（間接的にでも）タッチすることでタッチパネルがタッチ位置を検出しても、第２の位置決め用マーク１０が表示面１ｂで移動、拡大、縮小表示等されない手法が採用される。
【００５０】
タッチ動作を検出しても、第２の位置決め用マーク１０及び第３の位置決め用マーク１１が表示面１ｂで移動、拡大、縮小表示等されない手法の一例として、上述のアプリケーションソフト１２等において、第２の位置決め用マーク１０、第３の位置決め用マーク１１描画、表示時に、スライダ３０を除くユーザのタッチ動作（タッチイベント）を一時的に無効化する命令を実行化する手法が挙げられる。
【００５１】
この際、表示面１ｂの全ての領域におけるタッチ動作を無効化する必要はなく、少なくともマーク用フィルム５が重畳される範囲におけるタッチ動作を無効化すれば足りる。一例として、上述した第２の位置決め用マーク１０、第３の位置決め用マーク１１に加えて、タッチ動作無効領域を示す矩形状の画像を表示し、この画像内におけるタッチ動作を無効化するような手法が挙げられる。あるいは、少なくとも第２の位置決め用マーク１０及び第３の位置決め用マーク１１が表示された領域をタッチ動作無効領域にすればよい。このように、全ての領域についてタッチ動作を無効化しないことにより、保護フィルム２の貼付動作時に電子機器１に外部からの着信があったときなど、緊急にタッチ動作を行って電子機器１の操作を行う必要がある場合でも、このような操作を有効にしつつも、第２の位置決め用マーク１０及び第３の位置決め用マーク１１を表示面１ｂで移動、拡大、縮小表示等させないことができる。
【００５２】
あるいは、本実施形態では、上述したように、スライダ３０の操作により第３の位置決め用マーク１１を移動させてその表示位置を調整するので、スライダ３０による第３の位置決め用マーク１１の表示位置調整開始をユーザが指示したら、表示面１ｂのタッチ動作検出を許容し、表示位置調整終了をユーザが指示したら表示面１ｂのタッチ動作を無効化してもよい。
【００５３】
次いで、ユーザは、保護フィルム複合体Ａ、すなわち、保護フィルム２に剥離フィルム３、カバーフィルム４及びマーク用フィルム５が貼付された状態のものを表示面１ｂ上に配置し、スライダ３０を操作することで、図３（ｂ）に示すように、補助線１１ａがマーク用フィルム５の突部５ａと重畳するようにこの補助線１１ａの表示位置を調整する。
【００５４】
スライダ３０を操作する際、ユーザは保護フィルム複合体Ａを表示面１ｂ上に配置した状態で、この保護フィルム複合体Ａの上から、より正確にはカバーフィルム４の上から表示面１ｂをタッチしてスライダ３０を操作することになる。従って、好ましくは、保護フィルム複合体Ａは、保護フィルム２に剥離フィルム３、カバーフィルム４及びマーク用フィルム５が貼付された状態であっても、カバーフィルム４の上からユーザがタッチした際にこのタッチ動作を電子機器１が検出可能な構成であることが好ましい。
【００５５】
この状態で、図３（ｃ）に示すように、ユーザが保護フィルム複合体Ａを表示面１ｂから一旦外し、ユーザがこの保護フィルム複合体Ａから剥離フィルム３を剥がして、保護フィルム２を表示面１ｂに貼付できる状態にする。そして、図３（ｄ）に示すように、補助線１１ａがマーク用フィルム５の突部５ａと重畳するように、マーク用フィルム５と第２の位置決め用マーク１０とを用いて保護フィルム２の位置決めを行い、第１の接着層６により保護フィルム２を表示面１ｂに接着、貼付する。従って、マーク用フィルム５のカバーフィルム４上での固定位置は、表示面１ｂに第２の位置決め用マーク１０が表示された状態で、この第２の位置決め用マーク１０を構成する線分１０ａ、１０ｂとマーク用フィルム５の突部５ａ先端が重複する位置にされている。
【００５６】
そして、保護フィルム２を表示面１ｂに貼付した後、ユーザがカバーフィルム４を保護フィルム２から剥がせば、このカバーフィルム４とともにマーク用フィルム５が取り除かれ、これにより、表示面１ｂとの位置決めを正確に行った状態で保護フィルム２を表示面１ｂに貼付することができる。
【００５７】
図３（ｄ）に示すように、マーク用フィルム５の突部５ａ先端と第２の位置決め用マーク１０の線分１０ａ、１０ｂとが重複するように保護フィルム２と表示面１ｂとの位置決めを行うことで、正確な位置決めが行える利点としては、マーク用フィルム５の突部５ａは三角形状に先端が尖った形状に形成されており、また、第２の位置決め用マーク１０を構成する線分１０ａ、１０ｂも、上述したように０．１ｍｍ〜数ｍｍ程度と細く形成されているので、これらを重複するように位置決めすることで精密な位置決めが可能になる。一方、マーク用フィルム５全体は一定の線幅を有する十字形に形成されているので、マーク用フィルム５全体を細幅に形成するよりもその成型の手間、及びマーク用フィルム５のカバーフィルム４への位置決めの手間を簡略化することができる。
【００５８】
また、本実施形態では、マーク用フィルム５が半透明の材質から構成されているので、図３（ｄ）に示すように、電子機器１の表示面１ｂに第２の位置決め用マーク１０を表示した状態で保護フィルム複合体Ａをこの表示面１ｂの上方に配置した状態で、マーク用フィルム５を透かして第２の位置決め用マーク１０を視認することができる。通常、保護フィルム２、剥離フィルム３及びカバーフィルム４は透明な材質から構成されるので、マーク用フィルム５を半透明の材質から構成すれば、ユーザはマーク用フィルム５の存在を明確に視認しつつ、第２の位置決め用マーク１０も同時に視認することができる。これにより、保護フィルム２と表示面１ｂとの位置決め精度をより高めることができるとともに、位置決めの手間をより簡略化することができる。
【００５９】
ここで、保護フィルム２と電子機器１の表示面１ｂとの間に（正確には第１の接着層６と表示面１ｂとの間に）気泡が生じると、表示面１ｂの視認性を低下させ、また、見栄えが低下する可能性があるので、保護フィルム２を表示面１ｂに貼付する際には、これら保護フィルム２と表示面１ｂとの間にできるだけ気泡を生じさせないことが好ましい。気泡を生じさせない手法の一例として、保護フィルム２の全面を同時に表示面１ｂに接触させるのではなく、保護フィルム２の一部をまず表示面１ｂに接触させ、その後、保護フィルム２の接触面積を広くすることで、保護フィルム２と表示面１ｂとの間に気泡が生じた場合でもこの気泡を辺縁に追い出す手法が挙げられる。
【００６０】
さらに、本実施形態の場合、図３（ｂ）、（ｄ）に示すように、電子機器１の表示面１ｂの中央部に第３の位置決め用マーク１１を構成する補助線１１ａが表示されているので、図５に示すように、ユーザが保護フィルム複合体Ａの両方の長辺を保持してその中央部を電子機器１の表示面１ｂに向けて反らし、この状態で保護フィルム２と表示面１ｂとの位置決めをマーク用フィルム５及び第３の位置決め用マーク１１とを用いて行う。そして、第３の位置決め用マーク１１の補助線１１ａとマーク用フィルム５の突部５ａ先端とを重複させたままマーク用フィルム５に相当する部分の保護フィルム２を表示面１ｂに接触させれば、保護フィルム２の中央部分をまず表示面１ｂに接触させることができ、気泡をより生じさせずに保護フィルム２を貼付することが可能になる。
【００６１】
ここで、本実施形態の保護フィルムの貼付方法が適用される電子機器１の構成には特段の限定はないが、その一例を図８を参照して説明する。
【００６２】
図８は、一実施形態の保護フィルムの貼付方法が適用される電子機器１の概略構成を示すブロック図である。図８において、電子機器１は、ＣＰＵ（Central Processing Unit）２０、ＲＯＭ（Read Only Memory）２１、ＲＡＭ（Random Access Memory）２２、表示部２３、内部ストレージ部２４、移動体通信部２５、入力部２６及び無線ＬＡＮインタフェース２７を備え、ＣＰＵ２０、ＲＯＭ２１、ＲＡＭ２２、表示部２３、内部ストレージ部２４、移動体通信部２５、入力部２６、及び無線ＬＡＮインタフェース２７はそれぞれ共通のバスにより接続されている。
【００６３】
ＣＰＵ２０は、ＲＯＭ２１内に格納されたファームウェア等のプログラムがＲＡＭ２２において展開された後で実行されることで、電子機器１全体の動作制御を行う。ＲＯＭ２１には、上述のファームウェア等のプログラムや、各種設定データが格納されている。ＲＡＭ２２は、電子機器１のワークメモリとして動作し、各種プログラム及びデータが一時的に格納される。
【００６４】
表示部２３は、液晶パネルとこの液晶パネルを駆動させる液晶ドライバ（いずれも図略）とを備える。液晶パネルは、その表示面１ｂが電子機器１の表面に露出して設けられている。液晶ドライバは、表示画面を構成するデータがＣＰＵ２０からこの液晶ドライバに供給されると、液晶パネルの表示面１ｂに所望の表示画面を表示するようにこの液晶パネルを駆動する。
【００６５】
内部ストレージ部２４は本実施形態の電子機器１の記憶部として動作し、内部ストレージと内部ストレージインタフェース（いずれも図示略）とを備える。内部ストレージは、例えばフラッシュメモリのような不揮発性半導体メモリであり、電子機器１において用いられるアプリケーションプログラム等、特に上述した、電子機器１の表示面１ｂの画面サイズを取得して第２の位置決め用マーク１０を描画して形成するアプリケーションソフト１２が格納される。内部ストレージインタフェースは、この内部ストレージに対するデータの読み出し／書き込み指令があった場合に、内部ストレージ全体の制御を行うとともに、データの読み出し／書き込み制御を行い、読み出されたデータを出力する。なお、内部ストレージは、例えばｍｉｃｒｏＳＤのような挿脱可能な不揮発性メモリーカードであってもよく、この場合、内部ストレージインタフェースは、このメモリーカードが装着されるメモリカードスロットをさらに備える。
【００６６】
アプリケーションソフト１２は、ＣＰＵ２０で実行されることにより、このＣＰＵ２０を、表示部２３の表示面１ｂの画面サイズを取得する画面サイズ取得部と、この画面サイズ取得部が取得した表示面１ｂの画面サイズに応じて、表示面１ｂに第２の位置決め用マーク１０を描画して形成するマーク描画部として機能させる。
【００６７】
移動体通信部２５は、例えばＩＭＴ（International Mobile Telecommunication）−２０００規格に準拠して、移動体通信網１５との間で移動体無線通信を行う。なお、この移動体通信部２５が対応する規格には、３Ｇ／ＨＳＤＰＡ（3rd Generation/High-Speed Downlink Packet Access）、ＬＴＥ（Long Term Evolution）、ＷｉＭＡＸ（Worldwide Interoperability for Microwave Access）の少なくとも一つが含まれうる。
【００６８】
入力部２６は、入力インタフェースとタッチパネルとを備える。タッチパネルは、本実施形態では液晶パネルの表示面１ｂに重畳されて設けられ、この液晶パネルの表示面１ｂと略同一の大きさを有する。ユーザによりタッチパネルの表面がタッチされ、すなわち、タッチパネルの表面上の特定位置がユーザにより触れられたら、タッチパネルの表面上の特定位置が２次元の座標位置として検出され、この座標位置は入力インタフェースを介して出力される。
【００６９】
無線ＬＡＮインタフェース２７は、例えばＩＥＥＥ（The Institute of Electrical and Electronics Engineers, Inc.）８０２．１１規格に準拠して、他の無線ＬＡＮ装置と無線通信を行う。この無線ＬＡＮインタフェース２７は、電子機器１を無線ＬＡＮステーションとして動作させ、インフラストラクチャーモードで他の無線ＬＡＮ装置との間の無線通信を行う。他の無線ＬＡＮ装置としては、例えばアクセスポイント１７が挙げられる。
【００７０】
次に、図９のフローチャートを参照して、本実施形態による第２の位置決め用マーク１０の描画手順について説明する。
【００７１】
図９に示すフローチャートは、アプリケーションソフト１２の起動とともに開始する。まず、ステップＳ１では、画面サイズ取得部が、電子機器１の表示部２３の表示面１ｂの解像度や画素密度といった表示面１ｂの情報を取得する。情報取得の具体的手法については既に説明したので、ここでは詳細な説明を省略する。
【００７２】
次いで、ステップＳ２では、第２の位置決め用マーク１０及び第３の位置決め用マーク１１描画に先立つ前処理を行う。この前処理には、上述した第２の位置決め用マーク１０の表示面１ｂでの移動表示等がされない処理が含まれる。それ以外にも、電子機器１の把持姿勢の変化（例えば表示面１ｂの長辺方向を垂直から水平に移動させる、またその逆）に伴う表示面１ｂに表示される画面の回転をロックする処理、表示部２３の液晶パネルの輝度を最大にする処理、表示画面上において「戻る」「ホーム」「メニュー」等を示すボタンまたはアイコンを表示面１ｂの画面に表示させない処理、さらには、タッチパネルを含む入力部２６に一定時間入力がされないことに基づいて電子機器１のＣＰＵ２０等がスリープ動作に移行することを停止する処理等が適宜含まれる。
【００７３】
画面の回転をロックする処理は、電子機器１のＯＳ（Operating System）がＡｎｄｒｏｉｄ（登録商標）である場合、AndoridManifest.xml内でActivityに対してandroid:screenOrientationで所定値を設定することにより実現可能である。一例として、縦長画面にロックする場合はportraitに、横長画面にロックする場合はlandscapeまたはreverselandscapeに設定すれば良い。また、表示画面上において「戻る」「ホーム」「メニュー」等を示すボタンまたはアイコンを表示面１ｂの画面に表示させない処理は、電子機器１のＯＳ（Operating System）がＡｎｄｒｏｉｄ（登録商標）である場合、Window.FEATURE_NO_TITLEを呼び出すことでウィンドウタイトルバーを非表示にし、PixelFormatにおいて半透明表示をサポートするTRANSLUCENTを宣言し、WindowManager.LayoutParamsにおいてFLAG_FULLSCREENを宣言して全画面表示をすることにより実現可能である。さらに、液晶パネルの輝度を最大にする処理は、電子機器１のＯＳ（Operating System）がＡｎｄｒｏｉｄ（登録商標）である場合、WindowManager.LayoutParamsのscreenBrightness変数を最大値（通常は１．０）に設定することにより実現可能である。そして、スリープ動作に移行することを停止する処理は、電子機器１のＯＳ（Operating System）がＡｎｄｒｏｉｄ（登録商標）である場合、WindowManager.LayoutParamsにおいてFLAG_KEEP_SCREEN_ONを宣言することにより実現可能である。
【００７４】
次いで、ステップＳ３では、マーク描画部が、第２の位置決め用マーク１０を構成する線分１０ａの幅を算出する。ここでは、線分１０ａの幅は１ピクセルとする。ステップＳ４では、ステップＳ３で算出した線分１０ａの幅がユーザに視認可能であるか否かが判定され、ユーザに視認可能であると判定された場合（ステップＳ４においてＹＥＳ）、プログラムはステップＳ６に移行し、ユーザに視認可能ではないと判定された場合（ステップＳ４においてＮＯ）プログラムはステップＳ５に移行する。ステップＳ５では、ステップＳ１で取得した表示面１ｂの情報を参考にして、ユーザが視認可能な線分１０ａの幅を再度算出する。
【００７５】
そして、ステップＳ６では、マーク描画部が、ステップＳ１で取得した表示部の情報に基づいて、表示部に第２の位置決め用マーク１０及び第３の位置決め用マーク１１を描画して形成する。第２の位置決め用マーク１０及び第３の位置決め用マーク１１の具体的な描画手法についても既に説明したので、ここでは詳細な説明を省略する。
【００７６】
ステップＳ７では、ユーザが表示面１ｂをタッチすることで、表示面１ｂに表示されているスライダ３０が操作されたか否かが、入力部２６のタッチパネルのタッチ動作検出により判定され、スライダ３０が操作された場合（ステップＳ７においてＹＥＳ）、プログラムはステップＳ８に移行し、スライダ３０が操作されていない場合（ステップＳ７においてＮＯ）、プログラムはステップＳ９に移行する。ステップＳ８では、ユーザによるスライダ３０の操作量に基づいて、マーク描画部が、第３の位置決め用マーク１１の補助線１１ａを表示面１ｂ上で移動させる。この際、ユーザによるスライダ３０の操作量よりも補助線１１ａの移動量を小さくすると、補助線１１ａとマーク用フィルム５の突部５ａとの位置決めをより精確に行うことができて好ましい。
【００７７】
そして、ステップＳ９では、ユーザによるスライダ操作終了指示が入力部２６を介して入力されたか否かが判定され、スライダ操作終了指示入力があった場合（ステップＳ９においてＹＥＳ）、プログラムは終了し、スライダ操作終了指示入力がなかった場合（ステップＳ９においてＮＯ）、プログラムはステップＳ７に戻り、以降、ステップＳ７〜ステップＳ９の動作が繰り返される。なお、ユーザによるスライダ操作終了指示入力の具体的手法に限定はないが、一例として、タッチパネル以外の入力部２６による操作入力、例えば電子機器１に備えられたボリュームボタン等の操作入力が挙げられる。あるいは、表示面１ｂに、スライダ操作終了ボタンを表示しておき、このスライダ操作終了ボタンがタッチされたことをタッチパネルが検出したことをもってスライダ操作終了指示入力としてもよい。
【００７８】
（一実施形態の効果）
従って、本実施形態では、電子機器１の表示面１ｂに第３の位置決め用マーク１１を描画して表示し、第３の位置決め用マーク１１の補助線１１ａの表示位置をマーク用フィルム５の突部５ａに重畳する位置に予め調整した後、補助線１１ａがマーク用フィルム５の突部５ａと重畳するように、マーク用フィルム５と第３の位置決め用マーク１１とを用いて保護フィルム２の位置決めを行っているので、まず、マーク用フィルム５と第３の位置決め用マーク１１とにより表示面１ｂの長辺方向の位置決めを精確に行った後、表示面１ｂの短辺方向の位置決めをマーク用フィルム５と第２の位置決め用マーク１０とを用いて行うことができる。これにより、広い表示面１ｂを有する電子機器１に対しても、保護フィルム２と表示面１ｂとの位置決めをより精確に行うことができる。
【００７９】
すなわち、電子機器１がタブレット端末のように大きな表示面１ｂを有する場合、位置決めの精確さを追求するためには、マーク用フィルム５も表示面１ｂに合わせた大きさにする必要がある。この場合、ユーザがマーク用フィルム５の中央を凝視していると、表示面１ｂの端部に近いマーク用フィルム５の突部５ａと第２の位置決め用マーク１０の線分１０ａ、１０ｂとの位置合わせのためにユーザが視線を動かした際、ユーザの位置と視線を合わせる位置との間にかなりの距離が生じる。通常、表示部２３の液晶パネルの表面にはガラス等の透明板が設けられているため、液晶パネルの表示面と保護フィルム２が貼付される電子機器１の表示面１ｂとの間には一定の距離がある。このため、ユーザが視線を合わせる位置が遠いと、液晶パネルの表示と実際の位置との間のずれが大きくなる可能性がある。
【００８０】
本実施形態によれば、剥離フィルム３を貼付した状態でマーク用フィルム５の端部である突部５ａと第３の位置決め用マーク１１の補助線１１ａとの位置決めをすることができる（図３（ｂ）参照）ので、実際に保護フィルム２の貼付作業を行う前にこれら突部５ａと補助線１１ａとの位置決めを行うことができ、このため、ユーザは、マーク用フィルム５の突部５ａの直上方に姿勢をずらし、突部５ａを真上から視認した状態で補助線１１ａとの位置決めを行うことができる。これにより、大型の広い表示面１ｂであっても保護フィルム２の位置決めをより精確に行うことができる。
【００８１】
また、図５に示すように、保護フィルム複合体Ａの両方の長辺を保持してその中央部を電子機器１の表示面１ｂに向けて反らし、この状態で保護フィルム２と表示面１ｂとの位置決めをマーク用フィルム５及び第２の位置決め用マーク１０とを用いて行う場合、保護フィルム複合体Ａを反らした際に、マーク用フィルム５を構成する線分のうち、表示面１ｂの長辺方向に延びる線分は、保護フィルム複合体Ａが反らされても湾曲しない方向であるので、第２の位置決め用マーク１０を構成する線分１０ａとの位置決めは比較的容易に行える。一方、表示面１ｂの短辺方向に延びる線分は、保護フィルム複合体Ａが反らされると湾曲する方向であるので、第２の位置決め用マーク１０を構成する線分１０ｂとの位置決めを慎重に行う必要がある場合がある。
【００８２】
本実施形態によれば、第３の位置決め用マーク１１を用いて保護フィルム２の表示面１ｂの長辺方向の位置決めを精確に行うことができ、この後、表示面１ｂの短辺方向の位置決めをマーク用フィルム５と第２の位置決め用マーク１０とを用いて行うことができる。これにより、保護フィルム２と表示面１ｂとの位置決めをより精確に行うことができる。
【００８３】
さらに、本実施形態によれば、電子機器１の表示面１ｂの画面サイズを取得し、この表示面１ｂの画面サイズに応じて、第１の位置決め用マークであるマーク用フィルム５の略全体に対応する第２の位置決め用マーク１０と、マーク用フィルム５の端部である突部５ａに対応する第３の位置決め用マーク１１とを描画して表示し、これら第２、第３の位置決め用マーク１０、１１とマーク用フィルム５（第１の位置決め用マーク）とを用いて保護フィルム２の位置決めを行っているので、表示部２３が第２、第３の位置決め用マーク１０、１１を表示面１ｂに表示した際に、これら第２、第３の位置決め用マーク１０、１１を所望の大きさに表示する可能性が高くなる。これにより、電子機器１の表示面１ｂに貼付される保護フィルム２の位置決め作業をより簡易にかつ精度良く行うことが可能になる。
【００８４】
（変形例）
なお、本発明の保護フィルムの貼付方法等は、その細部が上述の一実施形態に限定されず、種々の変形例が可能である。一例として、上述の一実施形態では、タッチパネル（入力部２６）等を備える電子機器１に本発明の保護フィルムの貼付方法を適用したが、本発明の保護フィルムの貼付方法が適用される電子機器は、上述した一実施形態における電子機器に限定されず、表示面を有する電子機器であれば周知のものが好適に適用される。例えば、タッチパネル等のタッチデバイスを備えない電子機器にも適用可能であり、この場合、上述した、保護フィルム貼付時におけるタッチパネルの無効化動作について考慮する必要がなくなる。また、移動体通信部２５、無線ＬＡＮインタフェース２７等を備えない電子機器にも本発明の保護フィルムの貼付方法が好適に適用される。
【００８５】
また、上述の一実施形態では、表示面１ｂが平坦面である電子機器１について主に説明したが、表示面１ｂが平坦面ではない、すなわち、表示面１ｂが曲面である電子機器１にも好適に適用可能である。ここにいう表示面１ｂが曲面とは、電子機器１の表示部２３を構成する液晶パネルが湾曲している場合と、液晶パネルは平坦面であるがその上面に湾曲したカバーパネルが設けられている場合との両方を含む。
【００８６】
このような、表示面１ｂが曲面である電子機器１に保護フィルム２を貼付する場合、上述のように保護フィルム２の中央部分からまず表示面１ｂに接触させる利点がさらに高まる。すなわち、表示面１ｂが曲面である場合、視認性や操作性の観点から、表示面１ｂの中央部の曲率が小さく、周縁部の曲率が大きい構成が採用されることが多い。仮に、保護フィルム２を表示面１ｂの周縁部から貼付する手法を採用した場合、曲率が大きい箇所において位置決めを行う必要があり、位置決めの手間がかかるとともに、位置決めの精度を向上させることが困難である。一方、上述した一実施形態のように、保護フィルム２を表示面１ｂの中央部分で位置決めしてこの中央部分から保護フィルム２を表示面１ｂに接触させれば、位置決めの手間の簡略化及び位置決めの精度向上をより図ることができる、という利点がある。
【００８７】
また、マーク用フィルム５の形状は、一実施形態に示した、突部５ａの先端が尖った十字形に限定されず、第２の位置決め用マーク１０の形状に応じて適切な形状が選択可能である。一例として、図４に示すように、マーク用フィルム５を、同様に先端が尖った突部５ａを有する菱形（斜方形）に形成してもよい。
【００８８】
また、上述の一実施形態ではマーク用フィルム５により第１の位置決め用マークを形成していたが、第１の位置決め用マークはマーク用フィルム５に限定されず、第２及び第３の位置決め用マーク１０、１１との間で位置決めを行うことができるものであれば限定はない。一例として、カバーフィルム４に十字、菱形等のマークを印刷して表示してもよい。加えて、第１の位置決め用マークは剥離フィルム３側に形成してもよい。
【００８９】
さらに、上述の一実施形態において、第３の位置決め用マークの補助線１１ａ移動用のために表示面１ｂにスライダ３０を表示していたが、補助線１１ａを大きく移動するスライダと補助線１１ａの微調整を行うスライダ等の位置調整用手段とを設けてもよい。また、スライダ３０を表示するかわりに、表示面１ｂ上においてピンチイン／アウトと呼ばれる動作をユーザが行ったら補助線１１ａを移動させてもよい。また、電子機器１のＯＳがＡｎｄｒｏｉｄである場合、表示面１ｂに表示されるホームボタン等を、第２及び第３の位置決め用マーク１０、１１の描画の際にその表示を停止して、タッチパネルによる画面操作を無効にし、タッチパネル以外の入力部２６が操作されると画面操作を有効にする、あるいは、スライダ３０等による補助線１１ａ移動操作のみを有効にしてもよい。さらには、電子機器１が加速度センサを備えている場合、この電子機器１を振る等の動作をユーザが行ったら、画面操作を有効にする、あるいは、スライダ３０等による補助線１１ａ移動操作のみを有効にしてもよい。さらに、上述の一実施形態では、保護フィルム複合体Ａを構成する剥離フィルム３は１枚のフィルムから構成されていたが、保護フィルム２と同一形状のフィルムを分割して複数のフィルムから剥離フィルム３を構成してもよい。
【符号の説明】
【００９０】
Ａ    保護フィルム複合体
１    電子機器
１ａ    本体
１ｂ    表示面
２    保護フィルム
３    剥離フィルム
４    カバーフィルム
５    マーク用フィルム
５ａ    突部
５ｂ、１０ａ、１０ｂ  線分
６    第１の接着層
７    第２の接着層
８    第３の接着層
１０    第２の位置決め用マーク
１１    第３の位置決め用マーク
１１ａ  補助線
１２    アプリケーションソフト
２０    ＣＰＵ
２３    表示部
２４    内部ストレージ部
２６    入力部
【図１】
2016001273.tif 000003
【図２】
2016001273.tif 000004
【図３】
2016001273.tif 000005
【図４】
2016001273.tif 000006
【図５】
2016001273.tif 000007
【図６】
2016001273.tif 000008
【図７】
2016001273.tif 000009
【図８】
2016001273.tif 000010
【図９】
2016001273.tif 000011